(57)【特許請求の範囲】
【請求項１】
婦人用上衣または衣服の前身頃を上側前身頃と下側前身頃との２枚仕立てとし、
前記上側前身頃は、左右の乳房を覆う身頃幅を備え、前記上側前身頃の一方の脇線は後身頃の一方の脇線と縫合されており、前記上側前身頃の他方の脇線は前記後身頃の他方の脇線と縫合されておらず、前記上側前身頃の両方の肩線は前記後身頃に縫合されており、
前記下側前身頃は、左右の乳房を覆う身頃幅を備え、前記下側前身頃の一方の脇線は前記後身頃の他方の脇線と縫合されており、前記下側前身頃の他方の脇線は前記後身頃の一方の脇線と縫合されておらず、前記下側前身頃の両方の肩線は前記後身頃に縫合されており、
前記上側前身頃と前記下側前身頃とを重ね合わせ、前記上側前身頃と前記下側前身頃とによって左右の乳房を覆うことを特徴とする衣服。
【請求項２】
婦人服上衣または衣服の前身頃を、右前身頃と左前身頃との２枚仕立てとし、前記右前身頃又は前記左前身頃のうちいずれか一方が上に、他方が下となるよう、衿を打ち合わせる形で重ね合わせ、
前記右前身頃の衿線と、前記左前身頃の衿線とをそれぞれ斜めに形成し、更に前記右前身頃の前記衿線と前記左前身頃の前記衿線とが交差するように前記右前身頃と前記左前身頃とを重ね、
それぞれの身頃の衿線を互いに縫い合わせないことにより、前記それぞれの衿線を引き降ろして乳房を衿首側から授乳可能な程度に前記前身頃から露出させることができるようにし、
前記衿線から露出された胸部を隠す目隠しとして機能するヨークを更に備えることを特徴とする衣服。
【発明の詳細な説明】
【０００１】
【発明の属する技術分野】
本発明は、女性、とくに授乳期及び妊娠中の女性の衣服に関し、特に、容易かつ肌を必要以上に露出することなく授乳でき、乳房位置の個人差にも柔軟に対応できる衣服に関する。
【０００２】
【従来の技術】
授乳期間中の女性は、場合によっては他人の眼前において授乳する場合があるが、その際、いかにして簡単にしかも肌を必要以上に露出することなく授乳するかというのは、懸案される事項であった。従来は、前ボタンにより開閉できる衣服を着用している場合はこのボタンを開いて授乳、または衣服が前開きでない場合は上衣の裾をたくし上げて乳房を出して授乳する、というのが一般的な方法であった。また、授乳服として考案されたものもいくつかあるが、その多くは、乳房の位置に合わせて開口部を設け、この開口部を何らかの形で隠したもの、例えばヨーク等で覆ったもの、またはボタン、スナップ、ファスナー、面ファスナー等で留め付けたものが一般的であった。
【０００３】
【発明が解決しようとする課題】
従来の授乳方法では、肌が多く露出するため他人の目に触れやすく、一般に他人の眼前で行なうのは難しいものであった。
【０００４】
また、従来の授乳服を用いる場合も、着用する女性の個人差により開口の位置と乳房の位置がうまく合致しない場合、授乳が行ないにくかった。
【０００５】
また、開口部を隠す過程でボタン、スナップ、ファスナー、面ファスナー等の手段が使われた場合は、これらを開閉する作業が必要であった。この作業は多くの場合、乳児を抱きながら行なわれるため、しばしば片手で行なわなければならず、不便なものであった。
【０００６】
さらに、乳房の位置に合わせた開口部のある衣服のデザインは、多くの女性、とりわけ授乳期以外にある女性にとって心理的な抵抗感が大きいものであった。
【０００７】
本発明の目的は、授乳期における女性の授乳を容易かつ目立たぬものとし、個人による乳房位置の差にも柔軟に対応できる衣服を提供することにある。
【０００８】
【課題を解決するための手段】
上記の目的を達成するために、請求項１の発明に係る衣服は、婦人用上衣または衣服の前身頃を上側前身頃と下側前身頃との２枚仕立てとし、
前記上側前身頃は、左右の乳房を覆う身頃幅を備え、前記上側前身頃の一方の脇線は後身頃の一方の脇線と縫合されており、前記上側前身頃の他方の脇線は前記後身頃の他方の脇線と縫合されておらず、前記上側前身頃の両方の肩線は前記後身頃に縫合されており、
前記下側前身頃は、左右の乳房を覆う身頃幅を備え、前記下側前身頃の一方の脇線は前記後身頃の他方の脇線と縫合されており、前記下側前身頃の他方の脇線は前記後身頃の一方の脇線と縫合されておらず、前記下側前身頃の両方の肩線は前記後身頃に縫合されており、
前記上側前身頃と前記下側前身頃とを重ね合わせ、前記上側前身頃と前記下側前身頃とによって左右の乳房を覆うことを特徴とする。
【００１０】
また請求項２の発明に係る衣服は、婦人服上衣または衣服の前身頃を、
右前身頃と左前身頃との２枚仕立てとし、前記右前身頃又は前記左前身頃のうちいずれか一方が上に、他方が下となるよう、衿を打ち合わせる形で重ね合わせ、
前記右前身頃の衿線と、前記左前身頃の衿線とをそれぞれ斜めに形成し、更に前記右前身頃の前記衿線と前記左前身頃の前記衿線とが交差するように前記右前身頃と前記左前身頃とを重ね、
それぞれの身頃の衿線を互いに縫い合わせないことにより、前記それぞれの衿線を引き降ろして乳房を衿首側から授乳可能な程度に前記前身頃から露出させることができるようにし、
前記衿線から露出された胸部を隠す目隠しとして機能するヨークを更に備えることを特徴とする。
【００１１】
【発明の作用・効果】
請求項１の構成によれば、左右それぞれの見頃の相反する片脇を後見頃から分離させることにより、これらの重なりを利用して、容易に開くことのできる開口部を設けることができた。布の重なりを利用して肌を隠すことができるので、人前や公共の場所での授乳が容易となった。
【００１２】
また、このことにより開口部が大きくなり、個人による乳房位置の差に柔軟に対応することができた。
【００１３】
さらに、衣服の幅に関して可変性が大きいため、妊娠、出産に伴う腹囲の変化にかかわらず着用することができ、また、体格の個人差への対応も容易である。
【００１４】
主として見頃の重なりを利用して肌の露出を防いでいるので、ボタン、スナップ、ファスナー、面ファスナー等の手段を使う必要がなく、乳児を抱く等の理由で手がふさがっている場合の授乳をより容易にすることができた。
【００１５】
また、乳房の位置のみの特別な開口部を設ける必要がないことにより、デザイン的に優れ、従来の授乳服の着用の際感じがちであった心理的な抵抗感をやわらげることができた。
【００２０】
また、請求項２の構成によれば、２枚の衿の衿線を互いに縫い合わせないことにより、衿の部分を容易に開くことのできる開口部とすることができた。さらにヨークを衿の上に重ねることにより、布の重なりを利用して肌を隠すことができるので、人前や公共の場所での授乳が容易となった。
【００２１】
また、このことにより開口部が大きくなり、個人による乳房位置の差に柔軟に対応することができた。
【００２２】
主として見頃の重なりを利用して肌の露出を防いでいるので、ボタン、スナップ、ファスナー、面ファスナー等の手段を使う必要がなく、乳児を抱く等の理由で手がふさがっている場合の授乳をより容易にすることができた。
【００２３】
また、乳房の位置に特別な開口部を設ける必要がないことにより、デザイン的に優れ、従来の授乳服の着用の際感じがちであった、心理的な抵抗感をやわらげることができた。
【００２４】
【発明の実施の形態】
発明の実施の形態を、以下、図面を参照して説明する。
図１は、本発明の第一の実施例を示す図面であり、衣服の前見頃を示す。前見頃は互いに重なりを持つ左右２枚の見頃によって構成され、左右はどちらが上になってもよい。点線で示されるのは、重なりの下側になる部分の輪郭線である。このうち、前見頃１の脇２は後見頃に縫合してあるが、同じ見頃の反対側の脇である３は、後見頃に縫合されていない。同様に、前見頃４の脇５は後見頃に縫合してあるが、同じ見頃の脇６は後見頃に縫合されていない。肩７及び８は、前見頃と後見頃を縫い合わせてある。また、原則として縫合しない側の脇３及び６についても、開口の邪魔にならない程度に、一部を縫合してもよい。
【００２５】
これにより、２枚仕立てとなった前見頃は、１と４の２枚が互いに重なることにより、ボタン、スナップ、ファスナー、面ファスナー等の手段を使うことなく肌の露出を避けることができるが、一方で、必要な場合は、開放されている３及び６部分より容易に開き、授乳に至ることができる。ボタン、スナップ、ファスナー、面ファスナー等の手段を使う必要がないことは、乳児を抱くなどの理由で手がふさがっている場合の授乳をより容易にする。
【００２６】
また、前見頃が両脇で固定されていないので、衣服のサイズ及び衣服を構成する布の自由度が高く、妊娠前後の体型の変化にも対応しやすく、さらに、授乳中の乳児を覆う、着用者自身の肌の露出を防ぐ等への対応も可能である。
【００２７】
図２は、衣服の前見頃を示している。前見頃は上下２枚に分かれており、互いに重ね合わせてある。このうち上側の見頃９は、肩線１０、１１及び脇線１２、１３は後見頃に縫い合わせてあるが、下端１４は開放されている。下側の見頃１５は、脇線１６及び１７は後見頃に縫い合わせてあるが、上端１８は開放されている。上側の見頃９及び下側の見頃１５は部分的に重なり合っているが、授乳に邪魔にならない程度に一部を縫合してもよい。
【００２８】
これにより２枚仕立てとなった前見頃は、９と１５の２枚の見頃が互いに重なることにより、ボタン、スナップ、ファスナー、面ファスナー等の手段を使うことなく肌の露出を避けることができるが、一方で、必要な場合は、開放されている１４及び１８部分より容易に開くことができる。ボタン、スナップ、ファスナー、面ファスナー等の手段を使う必要がないことは、乳児を抱くなどの理由で手がふさがっている場合の授乳をより容易にする。
【００２９】
図３と図４は、本発明の第二の実施例を示し、衣服の前見頃を示している。図３は一部を展開した平面図であり、図４は使用図を示す平面図である。前見頃は衿を打ち合わせる形で互いに重なった１９と２０の２枚の見頃に、さらにヨーク２１を加えた３枚により構成されている。２枚の見頃１９と２０は、どちらが上になってもよい。点線で示されるのは、重なりの下側になる部分の輪郭線である。ヨーク２１は、肩２４、２５部分に留められており、見頃１９と２０の上に重ねて使用する。見頃１９、２０とヨーク２１は、肩２４、２５部分で縫合するか、あるいはボタン、スナップ等により着脱が可能な方式で留め付ける。原則として、衿線２２と２３は、互いにもう一枚の見頃に縫い合わされていないが、開口に差し支えない程度に一部を縫合してもよい。
【００３０】
これにより、１９と２０の２枚の見頃が互いに重なることにより、ボタン、スナップ、ファスナー、面ファスナー等の手段を使うことなく肌の露出を避けることができるが、一方で、必要な場合は、開放されている衿線２２または２３を引き降ろすことにより、容易に胸を露出させ、授乳に至ることができる。ヨーク２１は、授乳の際露出する胸部を上部より覆うことにより、必要以上の肌の露出を防ぐ役割を果たす。ボタン、スナップ、ファスナー、面ファスナー等の手段を使う必要がないことは、乳児を抱くなどの理由で手がふさがっている場合の授乳をより容易にする。
【００３１】
図１、図２、図３及び図４のいずれにおいても、乳房の部分のみの限定された開口ではないことから、乳房位置の個人差による開高位置の不一致といった不便を生ずることなく授乳することができる。またこのことによりデザイン的に優れ、従来の授乳服の着用の際感じがちであった心理的な抵抗感をやわらげることができる。
【図面の簡単な説明】
【図１】本発明の第一の実施例を示し、前見頃を左右２枚により構成した衣服の前見頃を表す平面図である。
【図２】前見頃を上下２枚により構成した衣服の前見頃を表す平面図である。
【図３】本発明の第二の実施例を示し、前見頃を衿を打ち合わせる形で互いに重ねた２枚の見頃と、さらにヨークにより構成した衣服の前見頃を表す平面図である。
【図４】本発明の第二の実施例の使用図を示す平面図である。
【符号の説明】
１  前見頃（上側）
２、３  前見頃（上側）の脇線
４  前見頃（下側）
５、６  前見頃（下側）の脇線
７、８  肩線
９  前見頃（上側）
１０、１１  肩線
１２、１３  前見頃（上側）の脇線
１４  前見頃（上側）の下端
１５  前見頃（下側）
１６、１７  前見頃（下側）の脇線
１８  前見頃（下側）の上端
１９  前見頃（上側）
２０  前見頃（下側）
２１  ヨーク
２２  前見頃（上側）の衿線
２３  前見頃（下側）の衿線
２４、２５  肩線
【図１】
0004199877.tif 000002
【図２】
0004199877.tif 000003
【図３】
0004199877.tif 000004
【図４】
0004199877.tif 000005